(57)【要約】【課題】風向変更装置の脱着を行う際に、一般ユーザが容易に且つ安全に着脱することができる風向変更装置を提供する。【解決手段】空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片が設けられ、他方に上記可動係止片と上記風向変更装置の長手方向に係合する第１の係合部が設けられてなる空気調和機。【選択図】　図１
2004101102.tif 000002
【特許請求の範囲】
【請求項１】
空気調和機本体ケースにルーバを具備する横長の風向変更装置が着脱可能に取り付けられる空気調和機において、前記風向変更装置或は前記空気調和機本体ケースのいずれか一方に、前記風向変更装置の長手方向に進退自在で且つ該長手方向に常時弾性付勢された１以上の可動係止片が設けられ、他方に前記可動係止片と前記風向変更装置の長手方向に係合する第１の係合部が設けられてなることを特徴とする空気調和機。
【請求項２】
前記風向変更装置或は前記空気調和機本体ケースのいずれか一方に、固定係止片が設けられ、更に他方に、前記固定係止片と前記風向変更装置の長手方向に係合する第２の係合部が設けられてなる請求項１記載の空気調和機。
【請求項３】
風向変更装置の前記可動係止片が設けられた端部から、前記固定係止片の先端までの距離が、該風向変更装置が嵌め込まれる空気調和機本体ケースの取り付け開口の風向変更装置長手方向の幅から前記第２の係合部の長さを差し引いた長さと等しいか、或は若干短く設定されてなる請求項２記載の空気調和機。
【請求項４】
前記空気調和機本体ケースに、前記風向変更装置の着脱時に該風向変更装置の一部と係合し、該風向変更装置の重量の一部或は全部を支持する係合支持部が形成されてなる請求項１，２、或は３に記載の空気調和機。
【請求項５】
空気調和機本体ケース側に形成された係合片と係合するべく摺動自在に設けられたロック部材を具備する風向変更装置であって、前記ロック部材が、複数の方向の爪部材を含んでなる請求項１〜４のいずれかに記載の空気調和機。
【請求項６】
前記複数方向の爪部材は、各爪部材が空気調和機本体ケース側に形成された係合片と交互に係合するものである請求項５記載の空気調和機。
【請求項７】
前記爪部材が前記ロック部材の摺動方向の爪部材及び該摺動方向に直角の方向の爪部材を備えてなる請求項６記載の空気調和機。
【請求項８】
前記ロック部材が、更に、摺動端部において空気調和機本体ケースに形成した係合要素と係合する係合突起を備えてなる請求項６或は７記載の空気調和機。
【請求項９】
前記係合要素が、風向変更装置に設けられた歯車の噛合部近傍に形成されてなる請求項８記載の空気調和機。
【請求項１０】
空気調和機本体ケースにルーバを具備する横長の風向変更装置が着脱可能に取り付けられる空気調和機において、前記風向変更装置或は前記空気調和機本体ケースのいずれか一方に、前記風向変更装置の長手方向に進退自在で且つ該長手方向に常時弾性付勢された１以上の可動係止片と、該可動係止片と同軸の固定軸が設けられ、他方に前記固定軸と前記風向変更装置の長手方向に回動自在に係合する第３の係合部が設けられてなることを特徴とする空気調和機。
【発明の詳細な説明】
【０００１】
【発明の属する技術分野】
本発明は、空気調和機に関し、特に調整された空気の吹出し方向を変化させる風向変更装置を着脱自在に設けた空気調和機に係り、更には、前記風向変更装置の着脱を簡便かつ確実に、また安全に行いうる様に配慮された空気調和機に関するものである。
【０００２】
【従来の技術】
従来、この種の着脱可能な風向変更装置を備えた空気調和機としては、例えば特開２００１−３２４１６１公報（特許文献１参照）に記載されたものが知られている。この公知の空気調和機においては、上記風向変更装置の着脱手段として、空気調和機本体ケース側に２個のスライド可能な係合部材を設けると共に、風向変更装置側に、上記係合部材と係合自在な孔部を設け、操作者が上記２個のスライド可能な係合部材を両手で摺動させて、係合部材と上記穴部との係合を解除して、風向変更装置を空気調和機本体ケースから取り外すようにしている。風向変更装置を取り付ける場合も同様である。
【０００３】
【特許文献１】特開２００１−３２４１６１公報
【０００４】
【発明が解決しようとする課題】
しかしながら、上記公知の風向変更装置の着脱手段では、操作者の両手が上記２個の係合部材の摺動の為に使われるために、風向変更装置そのものを支えるのに、もう一人の操作者の手助けを借りるか、風向変更装置を支えながら上記２個の係合部材の操作をする必要があり、このような作業に不慣れなユーザにとって、危ない作業とならざるを得なかった。これは、空気調和機が部屋の高所に設けられることから、尚のこと危険な作業である。
本発明は上記のような状況に鑑みてなされたものであり、風向変更装置の着脱を行う際に、一般ユーザが容易に且つ安全に着脱することができる風向変更装置を設けた空気調和機を提供することを第１の目的とするものである。
また上記のような着脱自在の風向変更装置の着脱作業時に、上記風向変更装置の重量を操作者が全面的に支えながら、しかも別の手で支持部のロックやその解除などの着脱作業を行なうことは、骨の折れる作業である。
従って本発明は、上記風向変更装置の着脱に当たって、該風向変更装置の片端を空気調和機の本体ケーシングに引っ掛け、風向変更装置を空気調和機本体ケーシングで支持させながら着脱できる様にして、風向変更装置の着脱時における操作者への負荷の軽減を図りうる空気調和機を提供することを第２の目的とする。
更に、上記のように空気調和機本体に風向変更装置を簡単に取り付けることが出来ても、取付け状態を固定するロック機構が外れ易く不安定であったり、取付け時の操作によって簡単に破損するものであってはならない。
従って本発明の第３の目的は、上記風向変更装置の取付け状態を安定させ、且つ破損などの故障の少ないロック機構を備えた空気調和機を提供することである。
【０００５】
【課題を解決するための手段】
上記目的を達成するために本発明は、空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片が設けられ、他方に上記可動係止片と上記風向変更装置の長手方向に係合する第１の係合部が設けられてなることを特徴とする空気調和機として構成される。これにより、風向変更装置の着脱が簡便になり、操作者の負荷の軽減、即ち第１の目的が達成される。
この場合、上記風向変更装置或は上記空気調和機本体ケースのいずれか一方に、固定係止片を設け、更に他方に、上記固定係止片と上記風向変更装置の長手方向に係合する第２の係合部を設けることができる。
また、風向変更装置の上記可動係止片が設けられた端部から、上記固定係止片の先端までの距離を、該風向変更装置が嵌め込まれる空気調和機本体ケースの取り付け開口の風向変更装置長手方向の幅から上記第２の係合部の長さを差し引いた長さと等しいか、或は若干短く設定することで、着脱の容易性を図ることが望ましい。
風向変更装置の空気調和機本体への取付けの操作性を考えて、上記空気調和機本体ケースに、上記風向変更装置の着脱時に該風向変更装置の一部と係合し、該風向変更装置の重量の一部或は全部を支持する係合支持部を形成する事ができる。これにより、風向変更装置の着脱にあたり操作者は、風向変更装置から手を放した状態でロック部材の操作等を行なうことが出来、その作業負荷が著しく軽減される。即ち、第２の目的が達成される。
【０００６】
風向変更装置が、空気調和機本体ケース側に形成された係合片と係合するべく摺動自在に設けられたロック部材を具備する場合、上記ロック部材として、複数の方向の爪部材を含んで構成することが望ましい。
空気調和機本体に風向変更装置を簡単に取り付けることが出来ても、取付け状態を固定するロック機構が外れ易く不安定であったり、取付け時の操作によって簡単に破損するものであってはならないが、上記複数方向の爪部材を具備するロック部材を用いた場合には、上記風向変更装置の取付け状態が安定し、且つ破損などの故障の少ないロック機構を備えた空気調和機が実現される。即ち、第３の目的が達成されよう。
この場合、上記複数方向の爪部材は、各爪部材が空気調和機本体ケース側に形成された係合片と交互に係合するものとする事ができる。
また上記爪部材として、上記ロック部材の摺動方向の爪部材及び該摺動方向に直角の方向の爪部材を備えている場合には、爪部材の支持状態が安定する。
上記ロック部材として、更に、摺動端部において空気調和機本体ケースに形成した係合要素と係合する係合突起を備えたものが考えられる。
上記係合要素は、風向変更装置に設けられた歯車の噛合部近傍に形成する事ができる。このような配置によって、歯車の歯飛びといった問題が無くなる。
更に、空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片と、該可動係止片と同軸の固定軸が設けられ、他方に上記固定軸と上記風向変更装置の長手方向に回動自在に係合する第３の係合部が設けられてなることを特徴とする空気調和機が提供される。
【０００７】
【作用】
空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片が設けられ、他方に上記可動係止片と上記風向変更装置の長手方向に係合する第１の係合部が設けられてなることを特徴とする空気調和機においては、まず操作者が、風向変更装置を若干斜めに傾けた状態で両手で持ち、上記可動係止片に本体側の係止部材を合わせる。このとき可動係止片は弾性付勢されているのでもっとも片側に寄った位置にある。
操作者は、上記可動係止片と本体側の係止部材との係合を確認すると、風向変更装置全体の傾きを水平に直しつつ、風向変更装置全体を上記弾性力に逆らって反対側に移動させる。その後、操作者は、風向変更装置を弾性に逆らって押していた力を緩めと、上記可動係止片への弾性力により、風向変更装置全体が押されて、風向変更装置の反対側の係止部への係合が達成される。
これにより、風向変更装置は、その片端において、可動係止片により、他端において他の係合部材との嵌合により回動自在に支持される。
この時、風向変更装置の上記可動係止片が設けられた端部から、上記固定係止片の先端までの距離を、該風向変更装置が嵌め込まれる空気調和機本体ケースの取り付け開口の風向変更装置長手方向の幅から上記第２の係合部の長さを差し引いた長さと等しいか、或は若干短く設定することで、風向変更装置の着脱が余裕を持って行ない得るようになる。
【０００８】
風向変更装置の空気調和機本体への取付けの操作性を考えて、上記空気調和機本体ケースに、上記風向変更装置の着脱時に該風向変更装置の一部と係合し、該風向変更装置の重量の一部或は全部を支持する係合支持部を形成する事ができる。これにより、風向変更装置の着脱にあたり操作者は、風向変更装置から手を放した状態でロック部材の操作等を行なうことが出来、その作業負荷が著しく軽減される。
風向変更装置が、空気調和機本体ケース側に形成された係合片と係合するべく摺動自在に設けられたロック部材を具備する場合、上記ロック部材として、複数の方向の爪部材を含んで構成することにより、上記風向変更装置の取付け状態が安定し、且つ破損などの故障の少ないロック機構を備えた空気調和機が実現される。
また上記爪部材として、上記ロック部材の摺動方向の爪部材及び該摺動方向に直角の方向の爪部材を備えている場合には、爪部材の支持状態が安定する。
上記ロック部材として、更に、摺動端部において空気調和機本体ケースに形成した係合要素と係合する係合突起を備えたものが考えられる。例えば、上記係合要素は、風向変更装置の設けられた歯車の噛合部近傍に形成する事ができる。このような配置によって、歯車の歯飛びといった問題が無くなる。
空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片と、該可動係止片と同軸の固定軸が設けられ、他方に上記固定軸と上記風向変更装置の長手方向に回動自在に係合する第３の係合部が設けられてなることを特徴とする空気調和機の場合には、上記固定軸によって風向変更装置の一端部が回動自在に支持されるので、支持状態が極めて良好となる。
【０００９】
【発明の実施の形態】
以下、本発明に係る空気調和機の実施形態について、図を参照して説明する。図６〜図９は本発明の実施形態に係る空気調和機を示す図である。ここに図６（ａ）は、空気調和機全体を示す斜視図、図６（ｂ）は、取り外された風向変更装置の斜視図、図７は空気調和機全体の側断面図、図８は図７に示した空気調和機から風向変更装置を取り外した状態を示す側断面図、図９は図８に示した風向変更装置を取り外した状態の空気調和機の正面図である。
図６（ａ）に示す如く、本実施形態に係る空気調和機Ａは、空気吸込口であるギャラリ１と、空気吹出口２を備えた風向変更装置４と、上記ギャラリ１及び空気吹出口２前面に供えた横長の空気調和機本体３を備えている。
上記空気吹出口２は、図６（ｂ）に示すように、風向変更装置４に設けられても、或は図示しないが、空気調和機本体３を囲む空気調和機本体ケースに設けられても良い。
上記空気吹出口２には、図７に示すように、空気の吹出方向を上下に制御する複数の上下動ルーバ５ａと、空気の吹出方向を左右に制御する左右動ルーバ５ｂが設けられている。
図１０に示すように、上記風向変更装置４の下端部にはその左右に第１ヒンジ部７ａが、また図９に示すように、空気調和機本体ケース６側には、第２ヒンジ部７ｂが設けられており、上記第２ヒンジ部７ｂに第１ヒンジ部７ａを係合させることにより、風向変更装置４が、空気調和機本体ケース６に開閉自在に取り付けられる。
尚、図中、８は熱交換器、９はファンであり、矢印で示す如く、上記ファン９の回転によってギャラリ１から吸い込まれた室内空気は、熱交換器８を通る事で熱交換され、空気吹出口２から室内に吹出される。この時、上記上下動ルーバ５ａにより吹出方向が上下方向に変化し、また左右動ルーバ５ｂにより吹出方向が左右に調整される。
【００１０】
次に、上記第１及び第２ヒンジ部７ａ，７ｂの詳細な構成について説明する。
図２は風向変更装置４側に設けられるヒンジ部７ａの一例を示すものである。
図２（ａ）に示すように、風向変更装置４の下端の左右方向一方の端部には、風向変更装置４の長手方向に形成されたピストン収容孔１０を具備するピストン収容部１０ｂが設けられている。上記ピストン収容部１０ｂの奥側端部には、上記ピルトン収容孔１０と連通する貫通孔１０ａが形成されている。
該ピストン収容孔１０に摺動自在に収容されるピストン１１は、図２（ｂ）に示すごとく一端部に嵌合孔１２が形成されたガイド部１２ａを具備し、中間の軸部１３を経てその他端には上記軸部１３より大径の頭部１４が形成されている。
１５はコイルバネ、１６は止め輪（（ｃ）参照）である。
これらの部品の組立状態は図２（ｃ）に示されている。上記ピストン１１のガイド部１２ａは、ピストン収容孔１０に摺動自在に装着され、上記軸部１３が上記貫通孔１０ａに摺動自在に挿通されている。また、ガイド部１２ａの端部と上記ピストン収容部１０ｂの奥側端面との間に縮着した上記コイルバネ１５によって、ピストン１１は図中左方向、即ち、ガイド部１２ａがピストン収容孔１０から突き出す方向へ常時弾性付勢されている。止め輪１６は、頭部１４とピストン収容部１０ｂとの当たり面を構成するためのものである。
また図２（ａ）に示すように、風向変更装置４の下端の左右方向他方の端部には、風向変更装置４の長手方向に形成された係合孔１７を具備する係合端部１７ａが設けられている。
上記ピストン１１が本発明における可動係止片の一例を構成し、係合孔１７の設けられた係合端部１７ａが本発明における固定係止片の一例を構成する。
一方、第２ヒンジ部７ｂは図１のように構成される。
【００１１】
図１（ａ）に示されるように、空気調和機本体ケース６側には、風向変更装置４の上記ピストン収容部１０ｂ側端面１０ｃと、係合端部１７ａ側端面１７ｃに挟まれた部分４ｂを収容する開口６ｂが形成されており（この開口６ｂが空気吹出口２に該当する場合もある）、この開口６ｂの左側端面６ｃには前記ガイド部１２ａの嵌合孔１２と嵌合可能な左側ヒンジピン１８ａが、また右側端面６ｄには前記係合端部１７ａの係合孔１７と嵌合可能な右側ヒンジピン１８ｂがそれぞれ固定されている。上記ヒンジピン１８ａ，１８ｂが第２ヒンジピン７ｂの一例であり、上記右ヒンジピン１８ｂが本発明における第２係合部の一例である。
また、後記する図１（ｂ）に示す端面１０ｃを端面６ｃに押し付けた状態において、風向変更装置４の上記可動係止片の一例であるピストン１１が設けられた端部から、上記固定係止片の一例である係合端部１７ａの先端までの距離、即ち風向変更装置４の端面１０ｃから端面１０ｄまでの距離（図２（ａ）における（ｐ））が、該風向変更装置４が嵌め込まれる空気調和機本体ケース６の取り付け開口６ｂの風向変更装置長手方向の幅（図１（ａ）における（Ｌ））から上記第２の係合部の一例である右側ヒンジピン１８ｂの長さｋ（図１（ａ）参照）を差し引いた長さと等しいか若干短く設定されている。この実施形態では若干短く設定され、その差に相当する隙間Ｍの長さｍ（図１（ｂ）参照）は僅かである。
【００１２】
次に空気調和機本体ケース６への風向変更装置４の着脱動作について説明する。
まず操作者は、風向変更装置４を若干斜めに傾けた状態で両手で持ち、図１（ａ）のように、風向変更装置４側のガイド部１２ａの嵌合孔１２に左側ヒンジピン１８ａを合わせる。このときピストン１１はコイルバネ１５に押されてもっとも左側に寄った位置にある。
操作者は上記嵌合孔１２に左側ヒンジピン１８ａが挿入されたことを確認すると、風向変更装置４全体の傾きを水平に直しつつ、風向変更装置４全体を左方向に移動させる。この時、コイルバネ１５に押されてピストン１１はもっとも左位置に付勢されているので、コイルバネ１５の弾性力に反して風向変更装置４を左方向に移動させることで、コイルバネ１５は徐々に縮まり、やがて図１（ｂ）の状態に至る。この時、前記の様に隙間Ｍの長さｍは０か或は僅かに存在するので、図１（ｂ）に示すように風向変更装置４の端面１０ｃと１７ｃの間の部分４ｂは、開口６ｂ内に嵌り込み得ることになる。
またこの時、係合端部１２ａの係合孔１７と右側ヒンジピン１８ｂが向き合うことになる。
この状態を確認すると操作者は、風向変更装置４を左方向に押していた力を緩める、すると、コイルバネ１５の弾性力により、ピストン１１に風向変更装置４全体が押されて、右側ヒンジピン１８ｂが係合穴１７に挿入される。
これにより、風向変更装置４は、その左端において、左側ヒンジピン１８ａと嵌合孔１２との嵌合により回動自在に支持され、また右端において右側ヒンジピン１８ｂと係合孔１７との嵌合により回動自在に支持される。
以上述べたところから、この実施形態に係る風向変更装置４の着脱機構が理解される。
【００１３】
図３及び図４は、この発明の実施例に関する図である。
図３の実施例では、風向変更装置４の下端左側にコイルバネ１５で弾性的に常時付勢されたピストン１１が設けられ、該ピストン１１の先端に、空気調和機本体側に設けたヒンジピン１８と勘合するガイド部１２ａを具備する係合部材が設けられている点、図１に示した実施形態とまったく同一である。しかしこの実施例に係る装置では、風向変更装置４下端の右端側にも上記左端に設けたコイルバネ１５で弾性的に常時付勢されたピストン１１が設けられ、該ピストン１１の先端に、空気調和機本体側に設けたヒンジピン１８と勘合するガイド部１２ａを具備する係合部材が対称的に設けられている点で図１に記載した実施形態とは異なる構造となっている。この場合、図３（ｂ）に示すように、コイルバネ１５に逆らって風向変更装置４の端面１０ｃを空気調和機本体ケース６の端面６ｃに押し付けたとき、風向変更装置４の左側の上記ピストン収容部１０ｂが設けられた端面１０ｃから、右側のピストン収容部１０ｂが設けられた端面１７ｃまでの距離が、該風向変更装置４が嵌め込まれる空気調和機本体ケース６の取り付け開口の風向変更装置長手方向の幅Ｌから上記右側のヒンジピン１８ｂの長さ及び右側のガイド部１２ａの突出長さｎを差し引いた長さと等しいか、或は若干短く設定されている。若干短い場合の隙間はｍで表示されている。
【００１４】
このケースでも、操作者が風向変更装置４を空気調和機本体ケース６の開口の一方の端面６ｃに押し付けた後、他方のガイド部１２ａの嵌合孔１２を右端面のヒンジピン１８ｂに合わせるだけで、左右のガイド部１２ａ、１２ａとヒンジピン１８ａ、１８ｂとの嵌合が達成され、簡単に風向変更装置４の取付が完了する。風向変更装置４を取り外す場合も上記と逆をするだけであるので、簡単な操作しか要求されない。この構成であれば、風向変更装置４の左右いずれの方向からでも取付け或は取外しが可能であり、作業性が向上する。
同様の効果を奏する他の実施例として、図４、図５に示すものがある。
これは図１のケースと比較すると、風向変更装置４の下端左面に段状の切欠き４０が形成され、この切欠き４０から前記ピストン１１及びコイルバネ１５を収容するピストン収容部１０ｂが端面１０ｃよりも右方向に突出している点、及びガイド部１２ａが中実の軸端部をなしている点において、図１のケースとは大きく異なる構造となっている。
【００１５】
また、上記ガイド部１２ａと勘合する空気調和機本体ケース６の側も、図示のごとく端面６ｃに上記ピストン収容部１０ｂを差し込むことのできるガイド孔４１を備えている。上記構成によって、図４（ａ）で示した実施例装置の場合にはコイルバネ１５で付勢されたピストンは上記ガイド孔４１を備えた端面６ｃの後に設けられた当たり部４２に当接して風向変更装置４を右方向に付勢する役目をなす。また風向変更装置４の左端部はピストン収容部１０ｂが前記ガイド孔４１に挿入されることで、該ガイド孔４１を中心に回動自在に支持されることになる。
この場合の風向変更装置４の右端部の支持は、図４に示すように図１の係合端部１７ａと同様であっても、また図３に示したようにピストン１１を設けたタイプでも、また図４（ａ）に示したような、切欠き４０を設けて、ガイド孔４１にピストン収容部１０ｂが回動自在に支持されるようなタイプでも良い。
図４のケースでは、図４（ｂ）に示すように、コイルバネ１５に逆らって風向変更装置４の端面１０ｃに形成した切欠き４０の端面４０ａを空気調和機本体ケース６の端面６ｃに押し付けたとき、風向変更装置４の上記端面４０ｃから、右側の係合端部１７ａが設けられた端面１７ｃまでの距離４ｂが、該風向変更装置４が嵌め込まれる空気調和機本体ケース６の取り付け開口の風向変更装置長手方向の幅Ｌから上記右側のヒンジピン１８ｂの長さｋを差し引いた長さと等しいか、或は若干短く設定されている。若干短い場合の隙間はｍで表示されている。
この構造では、ピストン収容部１０ｂが支持軸となるので、十分な強度を確保できる長所がある。
【００１６】
上記のように風向変更装置４の空気調和機本体への取付けによって、風向変更装置４は空気調和機本体に回動自在にぶら下がった状態になるので、最後に風向変更装置４を空気調和機本体ケース６に係止する機構が不可欠である。この係止機構は図１０に示す３個のロック部材２０、２０、…で概略表される。この実施形態では、前記ピストン１１と右側ヒンジピン１８ｂで回動自在に支持された風向変更装置４を、操作者が空気調和機本体の方向に押し付けて閉めた状態で、上記複数のロック部材２０、２０、…を次々に矢印Ｙの方向に摺動させることで、各ロック部材２０に設けられた爪部材を空気調和機本体ケース６に形成された係合片と係合させ、これによって風向変更装置４を空気調和機本体にロックする。
この実施形態における上記係止機構について図を参照して説明する。ここに図１１（ａ）は、この実施形態において使用するロック部材２０を示す斜視図、図１１（ｂ）及び（ｃ）は、上記ロック部材の作用を示す側断面図、図１２は、図１１に示したロック部材の取付け操作を示す斜視図、図１３は、図１１に示すロック部材の係合状態を示す断面図、図１４は、一実施例に係るロック部材を示すもので、（ａ）は、その斜視図、（ｂ）及び（ｃ）は、その動きを示す側断面図、図１５は、他の実施例に係るロック部材を説明するための概念図である。
【００１７】
まず図１１を参照してこの実施形態に係るロック部材２０について説明する。同図（ｂ）に明らかな様に、ロック部材２０は、空気調和機本体ケース６に形成された係合片２６と係合するべく矢印Ｘ方向に摺動自在に設けられている。
上記ロック部材２０は、図１１（ａ）に示すように、ベース板２２、該ベース板２２に固定された取手２３、ベース板２２に垂直に固定された摺動方向爪部材２４、ベース板２２に垂直に固定された柱状部２５ａに形成された直角方向爪部材２５を含んで構成されている。
上記摺動方向爪部材２４は、ロック部材２０の矢印Ｘで示す摺動方向に突出するもので、直角方向爪部材２５は、上記摺動方向に直角の方向に突出する。なお、直角方向爪部材２５は、図示の様に左右１対設けられている。
また図１３（ｂ）に示すように、上記柱状部２５ａの幅ｈは風向変更装置４のケース４ａに設けられた係合開口２１の幅とほぼ同じに形成され、直角方向爪部材２５、２５は、上記柱状部２５ａより摺動方向に直角方向へ突出している。
このロック部材２０は、図１１（ｂ）に示すように、風向変更装置４のケース４ａに穿たれた角孔状の係合開口２１の最も左側に装着された状態から、同図（ｃ）に示すように、摺動方向爪部材２４とベース板２２との間に、風向変更装置４のケース４ａと空気調和機本体ケースの係合片２６とを重ねた状態で挟む位置まで、往復摺動可能であるが、上記のように直角方向爪部材２５が係合開口２１の幅より外まで突出しているので、上記ロック部材２０の往復摺動中、常に上記直角方向爪部材２５がベース板２２との間に風向変更装置４のケース周辺部２１ａ或は２１ｂ（図１２）を挟んでいるので、上記往復摺動にもかかわらず、ロック部材２０が風向変更装置４のケースから脱落することは無い。
【００１８】
上記したロック部材２０を使って、操作者は簡単に風向変更装置４を空気調和機本体ケース６にロックすることができる。即ち、操作者は先にロック部材を図１１（ｂ）の位置にセットした後、前記したようにして、前記ピストン１１とヒンジピン１８ｂで風向変更装置４を空気調和機本体ケース６に回動自在に吊り下げる。その次に、操作者は風向変更装置４を空気調和機本体ケース６に押し付ける。この操作は片手で行なうことが出来、操作者は空いているもう一方の手で前記ロック部材２０の取手２３を操作し、ロック部材２０を図１１（ｂ）に示す位置から（ｃ）で示す位置まで矢印Ｘで示すように摺動させる。すると、図に示す如く、摺動方向爪部材２４がベース板２２との間に風向変更装置４のケース４ａと空気調和機本体ケース６とが挟まれ（図１１（ｃ））、風向変更装置４が空気調和機本体にロックされる。
この時、摺動方向爪部材２４の下面２４ｂが図示の様に段付きに形成され、風向変更装置４のケース４ａの上面との間に図１１（ｂ）に示すように、空気調和機本体ケース６の板厚と同じ幅の切欠き２４ｃが形成されていることは重要である。
なぜなら、もし上記切欠き２４ｃの縦方向の幅が大きく、図１１（ｃ）に破線２４で示すように、摺動方向爪部材２４を空気調和機本体ケース６との間に空間２４ｅが発生すると、摺動方向爪部材２４に矢印Ｚ方向の力が作用した時に、上記摺動方向爪部材２４が、容易に折れて使い物にならなくなるのに対し、空気調和機本体ケース６の板厚と同じ幅の切欠き２４ｃが形成されていると、上記のようにロック部材２０が図１１（ｃ）の位置まで摺動し、ロック部材２０が風向変更装置４を空気調和機本体にロックした状態で、上記切欠き２４ｃに空気調和機本体ケース６が隙間無く挟まれた状態となり、摺動方向爪部材２４に矢印Ｚ方向の力が作用しても、摺動方向爪部材２４が簡単に折れてしまうという問題が生じないからである。
【００１９】
上記風向変更装置４を空気調和機Ａに取り付ける時、図７及び図８に示す第２ヒンジ部７ｂに風向変更装置４側の第１ヒンジ部７ａを係合させてから、風向変更装置４を第１ヒンジ部７ａを中心として回転させ、空気調和機Ａに密着させる。そして前記ロック部材２０の２３をスライドして空調機本体ケース６に嵌合させ固定するが、ロック部材２０をスライドさせるまでは風向変更装置４を回動しないように押えておく必要がある。この時の仮止めとして、図１６及び図６に示すように、風向変更装置４に設けられた係合爪３７、３７と空調機本体ケース６に形成された係合溝３８，３８とを嵌合させて、風向変更装置４を仮保持させることができるように構成する事が望ましい。
この構成によって、風向変更装置４を仮保持することができる為、作業者は風向変更装置４から手を離して楽に作業ができる。上記係合溝３８と係合爪は、風向変更装置４を取付けた後も外観的にも見苦しくない。また、上記係合爪３７，３７と係合溝３８，３８は、ともに金型上スライドコア等の特殊な構造が不要で有る為、安定した成形生産が可能である。
【００２０】
上記ロック部材２０は、更に他の機能を備えることができる。例えば、風向変更装置４には縦方向に動くルーバと横方向に動くルーバが設けられているが、その駆動力は通常空気調和機本体側から伝達される。駆動力の伝達は一般に空気調和機本体側に設けたモータに連結された歯車から、風向変更装置４がわに設けられた歯車に回転が伝達されることによって行なわれる。通常、上記のような歯車は、熱交換器等が設けられている空気調和機本体及び風向変更装置４の中央部を避けて、空調機本体及び風向変更装置４の端部側に設けられる。
すでに述べたように風向変更装置４は、空気調和機本体とは分離可能であり、前記ピストン１１及びヒンジピン１８ｂ（図１参照）と、前記ロック部材２０だけで支持されているので、風向変更装置４の上記歯車が設けられた端部側は片持ち状態になることが多い。風向変更装置４は、全体的に柔軟なプラスティック製で横長の製品であるから、このような片持ち状態の場所では、小さい力で大きいたわみが発生する。そのため、上記空気調和機本体側の歯車と風向変更装置４側の歯車との連結が僅かな力で外れ、いわゆる歯飛び現象が生じ、これにより歯の磨耗、つぶれが進行する。このようなトラブルを解消するには、片持ち状態の風向変更装置端部を空気調和機本体側に押し付ける機構を採用することが望ましい。
【００２１】
図１５は風向変更装置４にルーバ等の駆動力を伝える歯車の噛み合いの確実化を図った例である。
この場合、一例として、風向変更装置４のケース４ａが図１５（ｂ）に示すように段部２７を備え、該段部２７の下段部２７ａに風向変更装置側の歯車２８ａが備えられている。また空気調和機本体ケース６側にも、上記段部２７と対応する段部２９が形成され、その下段部２９ａに、空気調和機本体側の歯車２８ｂが設けられている場合を考える。歯車２８ａ、２８ｂの取付位置は、図１０にも示されている。
この実施形態に係るロック部材２０ａでは、図１５（ａ）に示すように、摺動方向爪部材２４の先端部２４ａが水平方向へ若干伸ばされていると共に、（ｂ）に示すように、風向変更装置４のケース４ａに設けられた段部２７と水平部との交わる部分に水平方向の開口３０が形成されている。また、空気調和機本体ケース６の段部２９側には、ベース板２２を受け入れる挿入孔３１と、上記摺動方向爪部材２４の先端を受け入れる挿入孔３２とが穿たれている。
【００２２】
従って、図１５（ｃ）のように、風向変更装置４を空気調和機本体ケース６に合わせた状態で、（ｃ）の位置にあるロック部材２０を矢印Ｘで示すように右方向に摺動させ、図１５（ｄ）で示す位置まで押し付けると、ロック部材２０の摺動方向爪２４先端が前記挿入孔３２に、ベース板２２が挿入穴３１にそれぞれ挿入され、風向変更装置４のケース４ａが空気調和機本体ケース６にロックされる。これにより風向変更装置４のケース４ａと空気調和機本体ケース６とが一体化し、それぞれの中に設けられた歯車２８ａと２８ｂとの噛み合いが確実に保たれ、歯飛び及びそれに基づく歯車の損傷などが解消される。
上記のようにロック部材２０の働きは重要であるが、風向変更装置４を空気調和機本体に取り付ける時も、取り付けた後、図１５（ｄ）のように空気調和機能を発揮している時も、ロック部材２０の位置が勝手にずれたり、外れたりするようなことは、望ましくない。
そのために、この実施形態に係るロック部材２０ａでは、図１５（ａ）に示すようにベース板２２に容易に撓むことのできる舌部３３を形成し、該下部３の先端上面に突起３４を形成すると共に、該した部３３が摺接する風向変更装置ケース４ａの下面に、ロック部材２０ａの摺動方向に並ぶ２個の突起受穴３５ａ、３５ｂを形成する。上記突起受穴３５ａは、図１５（ｃ）の位置にロック部材２０ａがある時に、突起３４が嵌りこむ位置に、また突起受穴３５ｂは、ロック部材２０ａが図１５（ｄ）の位置にある時に突起３４が嵌りこむ位置にそれぞれ形成される。
【００２３】
従って、ロック部材２０ａが、図１５（ｃ）にある時、即ち、ロックする前にも、また（ｄ）にある時、即ちロックが完了した後にも、ロック部材２０ａの位置が固定され、人が手に持ったときのロック部材２０ａの自重や、送風機などの振動などによって、ロック部材２０ａが勝手に外れると言ったトラブルが解消される。
【００２４】
【発明の効果】
本発明は、空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片が設けられ、他方に上記可動係止片と上記風向変更装置の長手方向に係合する第１の係合部が設けられてなることを特徴とする空気調和機であるから、風向変更装置は、操作者が空気調和機の取付部の一方端に押し付けた後に、その押し付け力を解除すると言う簡単な操作だけで、空気調和機本体に着脱することが出来、操作者の負荷が著しく軽減される。
この時、風向変更装置の上記可動係止片が設けられた端部から、上記固定係止片の先端までの距離を、該風向変更装置が嵌め込まれる空気調和機本体ケースの取り付け開口の風向変更装置長手方向の幅から上記第２の係合部の長さを差し引いた長さと等しいか、或は若干短く設定することで、風向変更装置の着脱が余裕を持って行ない得るようになる。
風向変更装置の空気調和機本体への取付けの操作性を考えて、上記空気調和機本体ケースに、上記風向変更装置の着脱時に該風向変更装置の一部と係合し、該風向変更装置の重量の一部或は全部を支持する係合支持部を形成する事ができる。これにより、風向変更装置の着脱にあたり操作者は、風向変更装置から手を放した状態でロック部材の操作等を行なうことが出来、その作業負荷が著しく軽減される。
風向変更装置が、空気調和機本体ケース側に形成された係合片と係合するべく摺動自在に設けられたロック部材を具備する場合、上記ロック部材として、複数の方向の爪部材を含んで構成することにより、上記風向変更装置の取付け状態が安定し、且つ破損などの故障の少ないロック機構を備えた空気調和機が実現される。
また上記爪部材として、上記ロック部材の摺動方向の爪部材及び該摺動方向に直角の方向の爪部材を備えている場合には、爪部材の支持状態が安定する。
【００２５】
上記ロック部材として、更に、摺動端部において空気調和機本体ケースに形成した係合要素と係合する係合突起を備えたものが考えられる。例えば、上記係合要素は、風向変更装置の設けられた歯車の噛合部近傍に形成する事ができる。このような配置によって、歯車の歯飛びといった問題が無くなる。
空気調和機本体ケースにルーバを具備する横長の風向変更装置が着脱可能に取り付けられる空気調和機において、上記風向変更装置或は上記空気調和機本体ケースのいずれか一方に、上記風向変更装置の長手方向に進退自在で且つ該長手方向に常時弾性付勢された１以上の可動係止片と、該可動係止片と同軸の固定軸が設けられ、他方に上記固定軸と上記風向変更装置の長手方向に回動自在に係合する第３の係合部が設けられてなることを特徴とする空気調和機の場合には、上記固定軸によって風向変更装置の一端部が回動自在に支持されるので、支持状態が極めて良好となる。
【図面の簡単な説明】
【図１】本発明の一実施形態にかかる風向変更装置の取付装置を示す側断面図。
【図２】図１に示した装置の要部を示す分解図。
【図３】他の実施例に係る取付装置を示す側断面図。
【図４】更に他の実施例を示す側断面図。
【図５】図４に示した実施例装置の分解図。
【図６】空気調和機全体を示す図で、（ａ）は、その斜視図、（ｂ）は、取り外された風向変更装置の斜視図。
【図７】空気調和機全体の側断面図。
【図８】図７に示した空気調和機から風向変更装置を取り外した状態を示す側断面図。
【図９】図８に示した風向変更装置を取り外した状態の空気調和機の正面図。
【図１０】風向変更装置の裏面図。
【図１１】空気調和機の風向変更装置を外した状態を示す正面図。
【図１２】一実施形態に用いることのできるロック部材の使用状態の一例を示す分解斜視図。
【図１３】同ロック部材の取付状態を示す図。
【図１４】同ロック部材の取付状態を示す図。
【図１５】同ロック部材の一実施例構造を示す図。
【図１６】風向変更装置の空気調和機本体への取付状態を示す部分断面図。
【符号の説明】
Ａ　空気調和機
１　　　ギャラリ
２　空気吹出口
４ａ　風向変更装置ケース
６　空気調和機本体ケース
７ａ、７ｂ　第１、第２ヒンジ部
８　熱交換器
９　ファン
１０　ピストン収容孔
１０ｃ　ピストン収容部側端面
１１　ピストン
１２　嵌合孔
１２ａ　ガイド部
１３　軸部
１４　頭部
１５　コイルバネ
１７　係合孔
１７ｃ　係合端部側端面
１８ａ、１８ｂ　ヒンジピン
２０　ロック部材
２１　係合開口
２１ａ、２１ｂ　周辺部
２２　ベース板
２３　取手
２４　摺動方向爪部材
２４ａ　先端部
２４ｂ　下面
２４ｃ　切欠
２５　直角方向爪部材
２５ａ　柱状部
２６　係合片
２６　段部
２７ａ　下段部
２８ａ、２８ｂ　歯車
２９　段部
２９ａ　下段部
【図１】
2004101102.tif 000003
【図２】
2004101102.tif 000004
【図３】
2004101102.tif 000005
【図４】
2004101102.tif 000006
【図５】
2004101102.tif 000007
【図６】
2004101102.tif 000008
【図７】
2004101102.tif 000009
【図８】
2004101102.tif 000010
【図９】
2004101102.tif 000011
【図１０】
2004101102.tif 000012
【図１１】
2004101102.tif 000013
【図１２】
2004101102.tif 000014
【図１３】
2004101102.tif 000015
【図１４】
2004101102.tif 000016
【図１５】
2004101102.tif 000017
【図１６】
2004101102.tif 000018